(57)【要約】【課題】穀粒回収作業を行う作業者を有効に保護することが可能でありながら、作業者保護部材をコンパクトな形状にして低コスト化を図ることが望まれていた。【解決手段】機体右側に偏倚した状態で穀粒貯留部５が備えられ、穀粒貯留部５に、貯留用ホッパー２５と、それから排出される穀粒を回収する回収容器を支持可能な回収部２６と、貯留用ホッパーを支持するホッパー支持フレーム２７と、貯留用ホッパー２５よりも機体右側外方に張り出す使用姿勢と、機体左右方向中央側に引退する格納姿勢とにわたって上下揺動自在に支持された作業者保護部材３９とが備えられ、作業者保護部材３９が、ホッパー支持フレーム２７のうち機体右側部分よりも機体左右方向外方側で、ホッパー支持フレーム２７に上下揺動自在に支持されている。【選択図】図８
2019004767.tif 000002
【特許請求の範囲】
【請求項１】
機体左右方向一方側に偏倚した状態で穀粒貯留部が備えられ、
前記穀粒貯留部に、脱穀処理された穀粒を貯留する貯留空間を有するとともにその貯留空間の下方に穀粒を排出可能な排出部を有する貯留用ホッパーと、前記貯留用ホッパーから排出される穀粒を回収する回収容器を支持可能な回収部と、前記貯留用ホッパーを支持するホッパー支持フレームと、前記貯留用ホッパーよりも機体左右方向一方側外方に張り出す使用姿勢と、機体左右方向中央側に引退する格納姿勢とにわたって上下揺動自在に支持された作業者保護部材とが備えられ、
前記作業者保護部材が、前記ホッパー支持フレームのうち機体左右方向一方側部分よりも機体左右方向外方側で、前記ホッパー支持フレームに上下揺動自在に支持されているコンバイン。
【請求項２】
前記作業者保護部材に、基端部が揺動自在に支持され且つ機体前後方向と直交する方向に延びるアーム部と、前記アーム部の揺動端側に連結され且つ機体前後方向に延びる背凭れ部とが備えられ、
前記ホッパー支持フレームの機体左右方向一方側の端部よりも機体左右方向外方側に前記アーム部が支持され、
前記作業者保護部材にて保護される作業者が握り操作する手摺が備えられ、
前記手摺の基端部は、前記アーム部の支持位置と機体前後方向に近接した箇所に支持され、
前記手摺の握り部は、前記ホッパー支持フレームの機体左右方向一方側の端部よりも機体左右方向内方側に位置している請求項１に記載のコンバイン。
【請求項３】
前記手摺の基端部は、前記貯留用ホッパーに支持されている請求項２に記載のコンバイン。
【請求項４】
前記ホッパー支持フレームに、機体左右方向に間隔をあけて設けられた複数の支柱と、複数の前記支柱の上端部同士にわたって連結された左右向きの横フレームとが備えられ、
前記手摺は、前記横フレームよりも上側において前記貯留用ホッパーに支持され、
前記作業者保護部材は、前記横フレームよりも下側において前記ホッパー支持フレームに支持されている請求項２又は３に記載のコンバイン。
【請求項５】
前記アーム部が機体前後方向両側に夫々備えられ、
前後の前記アーム部の揺動端部同士を連結する状態で前記背凭れ部が備えられている請求項２から４のいずれか１項に記載のコンバイン。
【請求項６】
前記作業者保護部材は、前記ホッパー支持フレームに固定された支持ブラケットに揺動可能に支持され、
前記支持ブラケットに、前記作業者保護部材が前記使用姿勢にあるときに前記作業者保護部材が係合して前記使用姿勢を維持する第１被係合部と、前記作業者保護部材が前記格納姿勢にあるときに前記作業者保護部材が係合して前記格納姿勢を維持する第２被係合部とが備えられている請求項１から５のいずれか１項に記載のコンバイン。
【請求項７】
前記貯留用ホッパーの機体左右方向一方側外方に位置する作業領域の上方を覆う使用状態と、前記貯留用ホッパーの上方に引退する格納状態とに姿勢切り換え可能な日除け部材が備えられ、
前記日除け部材は、前記貯留用ホッパーの上部のうち機体左右方向一方側の外側部分に、前記使用状態と前記格納状態とにわたり揺動可能に支持されている請求項１から６のいずれか１項に記載のコンバイン。
【請求項８】
前記日除け部材は、前記貯留用ホッパーの天板よりも高い位置にある揺動軸芯周りで揺動可能に支持されている請求項７に記載のコンバイン。
【発明の詳細な説明】
【技術分野】
【０００１】
本発明は、脱穀処理された穀粒を貯留用ホッパーにより貯留するように構成されているコンバインに関する。
【背景技術】
【０００２】
この種のコンバインにおいては、貯留用ホッパーに貯留されている穀粒は、その貯留用ホッパーから排出させて回収容器としての収容袋に回収して、収容袋に回収した状態で運搬される。その回収作業は、作業者が貯留用ホッパーの下部に備えられた手動式シャッターを開操作させることにより行われる。このとき作業者は、貯留用ホッパーの下方側の回収部の横側に設けられた作業ステップに乗って作業を行う必要があり、しかも、機体を走行させながら作業を行う場合があるので、従来より、作業者を保護するための作業者保護部材が備えられている。この作業者保護部材は、使用状態では、作業者を保護するために、保護作用部が左右方向一方側外方に張り出した姿勢にする必要があり、移動走行等の際には、内方側に引退格納しておく必要がある。
【０００３】
そこで、従来では、貯留用ホッパーが機体左右方向一方側（機体右側）に寄った位置に設けられ、作業者保護部材は、使用姿勢と格納姿勢に切り換え可能にするために、貯留用ホッパーを支持するために備えられるホッパー支持フレームの左右方向一方側（右側）の端部よりも機体内方側に寄った箇所にて前後軸芯周りで揺動自在に支持する構成となっていた（例えば、特許文献１参照）。
【先行技術文献】
【特許文献】
【０００４】
【特許文献１】特開２０１４−１８３８１５号公報
【発明の概要】
【発明が解決しようとする課題】
【０００５】
上記従来構成では、揺動支点位置が、ホッパー支持フレームの左右方向一方側の端部よりも機体内方側に寄った位置にあるので、作業者保護部材が、使用姿勢において作業者を有効に保護することが可能な位置にまで張り出した状態にするために、揺動支点位置から作業者を保護する保護作用部までの距離が大きくなる。その結果、作業者保護部材が大型化してコスト高を招く不利があった。
【０００６】
そこで、穀粒回収作業を行う作業者を有効に保護することが可能でありながら、作業者保護部材をコンパクトな形状にして低コスト化を図ることが望まれていた。
【課題を解決するための手段】
【０００７】
本発明に係るコンバインの特徴構成は、
機体左右方向一方側に偏倚した状態で穀粒貯留部が備えられ、
前記穀粒貯留部に、脱穀処理された穀粒を貯留する貯留空間を有するとともにその貯留空間の下方に穀粒を排出可能な排出部を有する貯留用ホッパーと、前記貯留用ホッパーから排出される穀粒を回収する回収容器を支持可能な回収部と、前記貯留用ホッパーを支持するホッパー支持フレームと、前記貯留用ホッパーよりも機体左右方向一方側外方に張り出す使用姿勢と、機体左右方向中央側に引退する格納姿勢とにわたって上下揺動自在に支持された作業者保護部材とが備えられ、
前記作業者保護部材が、前記ホッパー支持フレームのうち機体左右方向一方側部分よりも機体左右方向外方側で、前記ホッパー支持フレームに上下揺動自在に支持されている点にある。
【０００８】
本発明によれば、作業者保護部材は、ホッパー支持フレームのうち機体左右方向一方側部分よりも機体左右方向外方側にて支持される。作業者保護部材におけるホッパー支持フレームに対する支持位置から作業者に対して作用する保護作用部（背凭れ部）までの距離を短くすることができる。その結果、作業者保護部材のコンパクト化を図ることができる。
【０００９】
従って、穀粒回収作業を行う作業者を有効に保護することが可能でありながら、作業者保護部材をコンパクトな形状にして低コスト化を図ることが可能となった。
【００１０】
本発明においては、前記作業者保護部材に、基端部が前記ホッパー支持フレームに揺動自在に支持され且つ機体前後方向と直交する方向に延びるアーム部と、前記アーム部の揺動端側に連結され且つ機体前後方向に延びる背凭れ部とが備えられ、
前記アーム部は、前記ホッパー支持フレームの機体左右方向一方側の端部よりも機体左右方向外方側において支持され、
前記作業者保護部材が前記使用姿勢のときに作業者が握り操作可能な手摺が備えられ、
前記手摺の基端部は、前記アーム部の支持位置と機体前後方向に近接した箇所に支持され、
前記手摺の握り部は、前記ホッパー支持フレームの機体左右方向一方側の端部よりも機体左右方向内方側に位置していると好適である。
【００１１】
本構成によれば、作業者保護部材は、アーム部の基端部を中心にして揺動して、背凭れ部が機体左右方向一方側外方に張り出す状態と、背凭れ部が機体左右方向内方側に引退する状態とに切り換わる。背凭れ部は作業者を受止める保護作用部として機能する。背凭れ部によって背中が受止め支持される作業者は、手摺を持つことで安定した状態で作業を行える。手摺は、アーム部の支持位置と機体前後方向に近接した箇所に支持されているので、貯留用ホッパーの機体前後方向に沿って長く延ばすことが可能であり、作業者が前後方向のどの位置に移動しても握り操作し易いものになる。さらに、手摺は、ホッパー支持フレームの端部よりも機体左右方向内方側に位置しているので、手摺が外方に出っ張ることがなく、穀粒回収作業の邪魔になるおそれは少ない。
【００１２】
本発明においては、前記手摺の基端部は、前記貯留用ホッパーに支持されていると好適である。
【００１３】
本構成によれば、手摺が貯留用ホッパーに支持されるので、作業者保護部材をホッパー支持フレームに支持する場合に、手摺によって制約を受けて支持構造が複雑になる等の不利がなく、簡素な支持構造で対応できる。
【００１４】
本発明においては、前記ホッパー支持フレームに、機体左右方向に間隔をあけて設けられた複数の支柱と、複数の前記支柱の上端部同士にわたって連結された左右向きの横フレームとが備えられ、
前記手摺は、前記横フレームよりも上側において前記貯留用ホッパーに支持され、
前記作業者保護部材は、前記横フレームよりも下側において前記ホッパー支持フレームに支持されていると好適である。
【００１５】
本構成によれば、手摺は横フレームよりも上側の高い位置で支持され、作業者保護部材は横フレームよりも下側の位置で支持される。作業者を、例えば背中のうちで腰に近い低めの位置で安定的に支持することができ、手摺が高めの位置にあるので手で持ち易い。しかも、手摺と作業者保護部材の支持位置を上下に異ならせることで、それらの支持位置が干渉することがないので、手摺と作業者保護部材とを夫々、前後方向に沿って長く延ばした状態で設けることができ、作業者の保護を有効に行うことができる。
【００１６】
本発明においては、前記アーム部が機体前後方向両側に夫々備えられ、
前記背凭れ部は、前後の前記アーム部の揺動端部同士を連結する状態で備えられていると好適である。
【００１７】
本構成によれば、背凭れ部が機体前後方向両側に位置する前後のアーム部夫々に連結されるので、背凭れ部は、ホッパー支持フレームの前後方向の略全幅にわたって設けられることになる。その結果、穀粒回収作業を行う作業領域の機体前後方向略全幅にわたって作業者を有効に保護することができる。
【００１８】
本発明においては、前記作業者保護部材は、前記ホッパー支持フレームに固定された支持ブラケットに揺動可能に支持され、
前記支持ブラケットに、前記作業者保護部材が前記使用姿勢にあるときに前記作業者保護部材が係合して前記使用姿勢を維持する第１被係合部と、前記作業者保護部材が前記格納姿勢にあるときに前記作業者保護部材が係合して前記格納姿勢を維持する第２被係合部とが備えられていると好適である。
【００１９】
本構成によれば、作業者保護部材が使用姿勢にあるときには、支持ブラケットに備えられている第１被係合部に作業者保護部材が係合して使用姿勢が維持される。作業者保護部材が格納姿勢にあるときには、支持ブラケットに備えられている第２被係合部に作業者保護部材が係合して格納姿勢が維持される。
【００２０】
作業者保護部材を揺動可能に支持するために用いられる支持ブラケットを有効に利用して被係合部を形成することで、他の特別な位置保持機構等を設けることなく簡素な構成により、作業者保護部材を使用姿勢と格納姿勢との夫々にて位置保持することが可能となる。
【００２１】
本発明においては、前記貯留用ホッパーの機体左右方向一方側外方に位置する作業領域の上方を覆う使用状態と、前記貯留用ホッパーの上方に引退する格納状態とに姿勢切り換え可能な日除け部材が備えられ、
前記日除け部材は、前記貯留用ホッパーの上部のうち機体左右方向一方側の外側部分に、前記使用状態と前記格納状態とにわたり揺動可能に支持されていると好適である。
【００２２】
本構成によれば、日除け部材を使用状態に切り換えると、作業領域の上方が覆われ、作業領域にて穀粒回収作業をしている作業者に日差しが照りつけるのを防止できる。日除け部材を格納状態に切り換えると、日除け部材は貯留用ホッパーの上方に引退するので、移動走行の際に邪魔になることがない。日除け部材は揺動によって状態が切り換わるので、姿勢切り換え操作を煩わしさなく簡単に行える。
【００２３】
本発明においては、前記日除け部材は、前記貯留用ホッパーの天板よりも高い位置にある揺動軸芯周りで揺動可能に支持されていると好適である。
【００２４】
日除け部材の揺動軸芯が天板よりも低い位置にあれば、格納状態では、日除け部材が天板の端部に接当して斜め上方に向けて突出する姿勢になり、上下高さが高くなる不利がある。
【００２５】
これに対して、本構成によれば、貯留用ホッパーの天板よりも高い位置に揺動軸芯があるので、日除け部材は、格納状態では、天板の上側において、天板と略平行姿勢で重なる状態になるまで揺動させることができ、上下高さをコンパクトに収納することができる。又、使用状態では、日除け部材を略水平姿勢に揺動させることができ、日除け作用を有効に発揮できるものになる。
【図面の簡単な説明】
【００２６】
【図１】コンバインの全体側面図である。
【図２】コンバインの全体平面図である。
【図３】運転部キャノピーの支持構造を示す側面図である。
【図４】運転部キャノピーの支持構造を示す正面図である。
【図５】運転部キャノピーの支持構造を示す要部の斜視図である。
【図６】揚穀装置の支持部の平面図である。
【図７】貯留部の側面図である。
【図８】貯留部の背面図である。
【図９】支点ブラケットを示す図である。
【図１０】作業者保護部の支持部を示す背面図である。
【図１１】作業者保護部の支持部を示す一部切欠き側面図である。
【図１２】作業者保護部の枢支部分の分解した状態の断面図である。
【発明を実施するための形態】
【００２７】
以下、本発明に係る実施形態をコンバインの一例としての普通型コンバインに適用した場合について図面に基づいて説明する。
【００２８】
〔全体構成〕
図１及び図２に示すように、普通型コンバインは、左右一対のクローラ走行装置１を備えた走行機体２の前部右側に運転部３が備えられ、刈り取られた作物を脱穀処理する脱穀装置４と、脱穀処理により得られた穀粒を貯留する穀粒貯留部５とが備えられている。穀粒貯留部５は運転部３の後側に位置する状態で備えられ、穀粒貯留部５が機体右側に位置し、脱穀装置４が機体左側に位置する状態で、穀粒貯留部５と脱穀装置４とが機体横幅方向に沿って並んで位置している。又、運転部３の下方にエンジン６が備えられ、エンジン６の動力が、コンバインの各部に伝達される。
【００２９】
この実施形態では、機体の前後方向を定義するときは、作業状態における機体進行方向に沿って定義し、機体の左右方向を定義するときは、機体進行方向視で見た状態で左右を定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００３０】
脱穀装置４の前部に横軸芯周りに上下揺動自在に刈取穀稈搬送用のフィーダ７が連結され、このフィーダ７の前端に略機体横幅に相当する刈幅を有する刈取部８が連結されている。刈取部８は、植立穀稈を後方に向けて掻き込む回転リール９、植立穀稈の株元を切断して刈り取るバリカン型の刈取装置１０、刈取穀稈を機体横幅方向中間側へ横送り移送する横送りオーガ１１等を備えており、刈取装置１０により刈り取った穀稈を横送りオーガ１１によって横送りしてフィーダ７に供給する。
【００３１】
運転部３には、運転座席１２と、運転座席１２の前方に位置して操向操作レバー１３等の複数の操作具を備えるフロントパネル１４と、運転座席１２の左横側に位置して変速レバー１５や脱穀クラッチレバー１６等の種々の操作具を備えるサイドパネル１７等が備えられている。運転座席１２の右横側には、図示しないラジエータファンの作用によってエンジン６に対する冷却風を吸気するための防塵ダクト１８が備えられている。運転部３には、運転部３に着座する運転者に対する日差しを防ぐ運転部キャノピー１９が備えられている。
【００３２】
運転部キャノピー１９は、運転部３の上方の高い位置にある作用状態と、その全体がエンジン給気用のプレクリーナ４２の上端部よりも下方の低い位置となる格納状態とに切り換え可能に構成されている。
【００３３】
次に、運転部キャノピー１９の支持構造について説明する。
図１，４に示すように、運転部キャノピー１９は、略矩形状に設けられた矩形枠部材４３と、それを覆うように設けられるカバー体４４とを備えて運転者に対する日差しを防ぐことができるように構成されている。カバー体４４は布あるいは樹脂材等を用いて構成される。この運転部キャノピー１９は、貯留用ホッパー２５の前壁部２５Ｃの前面側に備えられた左右一対の縦向きフレーム４５にて支持されている。
【００３４】
一対の縦向きフレーム４５から機体前方上方に向けて一対の支持アーム４６が延設され、支持アーム４６の前方側端部に矩形枠部材４３に対する一対の取付部４７が支持されている。取付部４７は、詳述はしないが、矩形枠部材４３を支持アーム４６に対して横軸芯周りで回動自在並びに複数の回動位置で位置保持可能に支持している。作業状況に応じて、運転部キャノピー１９の姿勢を前下がり状態から前上がり状態にわたり複数段階に変更することができる。
【００３５】
そして、一対の支持アーム４６が、機体前方上方に斜め姿勢で延びる作用状態（図１では実線で示し、図３では仮想線で示す）と、前後水平姿勢で前方に延びる格納状態（図１では仮想線で示し、図３では実線で示す）とに切り換え自在に、一対の縦向きフレーム４５に支持されている。すなわち、図３，４，５に示すように、縦向きフレーム４５の上端部には、支持アーム４６を横向き軸芯周りで揺動自在に支持する支持ブラケット４８が備えられている。支持ブラケット４８は、左右方向に間隔をあけた一対の板状構成体４９と、一対の板状構成体４９同士の間に位置して、各板状構成体４９に連結された傾斜案内板５０と下側受け具５１とを備えている。一対の板状構成体４９にはボルト挿通孔５２が形成されている。右側の支持ブラケット４８には、抜き差し自在なロックピン５３が挿通するピン孔５４が形成されている。
【００３６】
支持アーム４６には、ハンドル付きボルト５５が挿通するボルト挿通孔５２が形成され、且つ、上部側の端部に作用状態に図示しないロックピンに作用する係止部材５７が固定されている。支持アーム４６側のボルト挿通孔５２は長孔に形成されている。
【００３７】
作用状態では、ハンドル付きボルト５５を緩めると、自重によって運転部キャノピー１９と支持アーム４６が下方に寄り、ハンドル付きボルト５５は支持アーム４６側のボルト挿通孔５２の上端部に移動する。係止部材５７は傾斜案内板５０により下側に対応する位置に案内される。その状態でハンドル付きボルト５５を締め付けるとともに、図示しないロックピンによって位置を保持する。
【００３８】
ハンドル付きボルト５５を緩め、ロックピンを抜き取ると、運転部キャノピー１９は下方に揺動する。そのとき、係止部材５７が傾斜案内板５０により案内されて、ハンドル付きボルト５５は支持アーム４６側のボルト挿通孔５２の下端部（反対側）に移動する。支持アーム４６が水平姿勢にある状態で、支持アーム４６が下側受け具５１により受止め支持される。その状態でハンドル付きボルト５５を締め付けることにより、運転部キャノピー１９を格納状態で保持できる。
【００３９】
脱穀装置４は、左右両側が側壁４Ａによって覆われ、上部が天板４Ｂによって覆われている。そして、図示はしないが、左右の側壁４Ａと天板４Ｂにより囲われた内部空間の上部側に、扱胴と受網（図示せず）とを有し、フィーダ７より搬送されてくる刈取穀稈の扱き処理を行う扱室が形成されている。又、扱室の下部に、受網から漏下する扱き処理物を、穀粒、枝付き籾等の二番物、及び、排ワラ屑等に選別する選別処理部が備えられている。
【００４０】
選別処理部にて選別された穀粒は、図示しない一番物回収スクリューにより脱穀装置４の穀粒貯留部５側の横側外方に排出される。脱穀装置４における穀粒貯留部５側の側壁４Ａの横外側方にスクリューコンベアからなる揚穀装置２０が備えられている。脱穀装置４の穀粒貯留部５側の横側外方に排出された穀粒は、揚穀装置２０により上方に搬送され、穀粒貯留部５内に貯留される。
【００４１】
図６に示すように、揚穀装置２０の上部側箇所が、平面視で略Ｌ字形の板体からなる前後一対の連結用ステー２１により脱穀装置４の側壁４Ａに連結固定されている。一対の連結用ステー２１は夫々、一端部が揚穀装置２０の外周部に溶接にて連結され、他端部が、脱穀装置４の側壁４Ａに固定されたブラケット２２にボルト連結されている。
【００４２】
選別処理部にて得られた二番物は、二番物回収スクリュー（図示せず）により脱穀装置４の穀粒貯留部５側の横側外方に排出され、脱穀装置４における穀粒貯留部５側の横側に備えられた二番物還元装置２３により脱穀装置４の前側部分に還元される。排ワラ屑等は、脱穀装置４の機体後部側に排出ケース４Ｃを通して外方に排出される。
【００４３】
〔穀粒貯留部〕
穀粒貯留部５について説明する。
図１に示すように、穀粒貯留部５は、脱穀処理された穀粒を貯留する貯留空間を有するとともにその貯留空間の下方に穀粒を排出可能な排出部として排出口２４を有する貯留用ホッパー２５と、貯留用ホッパー２５から排出される穀粒を回収する回収部２６と、貯留用ホッパー２５を支持するホッパー支持フレーム２７とが備えられている。
【００４４】
図４，７，８に示すように、貯留用ホッパー２５は、上部側に、略直方体形状の空間を形成する略無底箱状の矩形箱状部２５Ａが備えられ、下部側に、３つの下狭まり状の漏斗部２８を有する流下案内部２５Ｂが備えられている。矩形箱状部２５Ａの下端開口部と流下案内部２５Ｂの上端開口部とが接続されて、矩形箱状部２５Ａの内部と流下案内部２５Ｂの内部とが連なる状態で空間が形成されている。すなわち、矩形箱状部２５Ａの内部空間と流下案内部２５Ｂの内部空間の全体により穀粒を貯留する貯留空間が形成されている。３つの漏斗部２８の下端部には、穀粒を下方に排出可能な排出口２４が形成され、且つ、その排出口２４を開閉自在な手動操作式のシャッター機構２９が備えられている。
【００４５】
このように構成することで、矩形箱状部２５Ａと流下案内部２５Ｂとを各別に作製しておき、矩形箱状部２５Ａの下端開口部と流下案内部２５Ｂの上端開口部とを嵌め合わせてリベット止め等により連結することができ、生産性の向上を図ることができる。
【００４６】
回収部２６には、貯留用ホッパー２５の排出口２４から排出される穀粒を収容するための穀粒収容袋Ｋを縦姿勢で保持する袋保持部３０が備えられている。袋保持部３０は、穀粒収容袋Ｋの上部に係止して縦姿勢を保持するために、複数の左右向きの支持杆３０ａが片持ち状に延びる状態で備えられている。回収部２６の下部には、穀粒が収容された穀粒収容袋Ｋを受止め支持するための載置台３１が備えられている。
【００４７】
載置台３１の右側には、穀粒回収作業を行う補助作業者が乗ることができる作業用ステップ部３２が備えられている。この作業用ステップ部３２は、機体内方側（左側）端部の前後揺動軸芯周りで揺動自在に機体フレーム３３に支持され、機体横外方に張り出した作業姿勢と、機体内方側に引退する格納姿勢とに切り換え可能に構成されている。
【００４８】
貯留用ホッパー２５の上側には、作業領域の上方側を覆う日除け部材としての補助キャノピー３４が備えられている。補助キャノピー３４は、作業用ステップ部３２に乗ったまま作業領域内で作業する補助作業者に対する日差しを遮ることができる。
【００４９】
補助キャノピー３４は、貯留用ホッパー２５の上部のうち右側の外側部分に、使用状態と格納状態とにわたり揺動可能に支持されている。説明を加えると、図８に示すように、補助キャノピー３４は、貯留用ホッパー２５の天板２５Ｄの上側に取り付けられた支点ブラケット５８を介して、天板２５Ｄよりも高い位置にある揺動軸芯Ｘ周りで揺動可能に支持されている。
【００５０】
図９に示すように、支点ブラケット５８は、板金を打ち抜いた１枚の板体を折り曲げ加工するとともに、支点ピン５９を取り付けることにより作成される。このように作成することで、例えば、加工成形された複数の部材同士を互いに溶接するとともに、支点ピンを取り付ける構成等に比べて、コスト低減を図ることができる。
【００５１】
図８に示すように、ホッパー支持フレーム２７は、貯留用ホッパー２５の前後両側端部に対応する位置において、左右方向に間隔をあけて機体フレーム３３から立設された複数の支柱３５と、複数の支柱３５の上端部同士にわたって連結された左右向きの横フレームとしての横向きフレーム３６とが備えられている。
【００５２】
全ての支柱３５は下端部が機体フレーム３３に連結されて固定されている。そして、前後両側部において、左右方向に並ぶ複数の支柱３５の上端部同士にわたって左右向きの横向きフレーム３６が連結されている。前後両側の横向きフレーム３６は夫々、機体左側すなわち脱穀装置４側の端部が脱穀装置４の側壁４Ａにボルト連結されている。
【００５３】
図７に示すように、貯留用ホッパー２５は、流下案内部２５Ｂの前後両側端部に備えられた支持部材３７が、前後両側の横向きフレーム３６に取り付けられた受止め部材３８にて載置支持され、支持部材３７と受止め部材３８とがボルト連結されている。このようにして貯留用ホッパー２５がホッパー支持フレーム２７に支持されている。
【００５４】
図８に示すように、穀粒貯留部５には、作業用ステップ部３２に載置して穀粒回収作業を行う補助作業者を保護するための作業者保護部材３９と、穀粒回収作業を行う補助作業者が握り操作可能な手摺４０とが備えられている。
【００５５】
作業者保護部材３９について説明する。
図２，７に示すように、作業者保護部材３９には、基端部が揺動自在に支持され且つ機体前後方向と直交する方向に延びるアーム部６０と、アーム部６０の揺動端側に連結され且つ機体前後方向に延びる背凭れ部６１とが備えられている。アーム部６０は、機体前後方向両側に夫々備えられ、背凭れ部６１は、前後のアーム部６０の揺動端部同士を連結する状態で備えられている。
【００５６】
作業者保護部材３９は、丸パイプ材を略Ｕ字状に折り曲げることにより、前後のアーム部６０及び背凭れ部６１が一連に連なる状態で形成され、貯留用ホッパー２５の右側外方に位置する状態で備えられている。前後のアーム部６０が、ホッパー支持フレーム２７における前後両側の複数の支柱３５のうち最右側に位置する前後の支柱３５に設けられた支持ブラケット６３に支持されている。図８に示すように、支持ブラケット６３は、横向きフレーム３６よりも下側に位置する状態で前後の右側支柱３５に夫々取付けられている。
【００５７】
前後のアーム部６０の基端部６０ａが前後両側の支持ブラケット６３により前後軸芯周りで上下揺動自在に支持されている。図８，１０に示すように、支持ブラケット６３は、前後方向視で周囲が略円形状の板体からなる板状構成体６４を前後方向に間隔をあけて並ぶ状態で備えている。前後の板状構成体６４は、右側支柱３５の前側面及び後側面に溶接にて一体的に連結され、右側支柱３５の右側面よりも右側外方に突出する状態で設けられている。
【００５８】
作業者保護部材３９は、貯留用ホッパー２５よりも機体右側（左右方向一方側の一例）外方に張り出す使用姿勢（図８では実線で示し、図１０では仮想線で示す）と、機体左右方向中央側に引退する格納姿勢（図８では仮想線で示し、図１０では実線で示す）とにわたって上下揺動自在に支持されている。さらに、作業者保護部材３９は、ホッパー支持フレーム２７のうち右側部分としての右側支柱３５よりも右方向外方側で、ホッパー支持フレーム２７に上下揺動自在に支持されている。
【００５９】
説明を加えると、図１０に示すように、支持ブラケット６３における右側支柱３５の右側面よりも右側外方に突出する箇所に、作業者保護部材３９の基端部に前後向きの支持軸６５が挿通する挿通孔６６が形成されている。作業者保護部材３９は、支持軸６５の軸芯周りで上下揺動自在に支持ブラケット６３に支持される。
【００６０】
そして、支持ブラケット６３に、作業者保護部材３９が使用姿勢にあるときに作業者保護部材３９が係合して使用姿勢を維持する第１被係合部としての受止め部材６７と、作業者保護部材３９が格納姿勢にあるときに作業者保護部材３９が係合して格納姿勢を維持する第２被係合部としての係合凹部６８が備えられている。受止め部材６７は、一対の板状構成体６４の間に位置して、各板状構成体６４に連結されている。受止め部材６７は使用姿勢の作業者保護部材３９を受止め可能である。係合凹部６８は、板状構成体６４の上部側の縁部６４ａに下方に凹入する状態で形成されている。
【００６１】
説明を加えると、支持軸６５が挿通する挿通孔６６は上下方向に長孔に形成されており、長孔の範囲内で支持軸６５が上下方向に移動自在である。そして、作業者保護部材３９には、作業者保護部材３９が格納姿勢に切り換えられた状態で係合凹部６８に入り込み係合自在な係止ピン６９が備えられている。作業者保護部材３９は長孔の範囲内で上下方向に移動自在であるから、格納姿勢にあるときに、係止ピン６９が係合凹部６８に入り込み係合する状態と、係止ピン６９が係合凹部６８から離脱する状態とに移動自在である。
【００６２】
支持軸６５が挿通孔６６の下側に位置して、係止ピン６９が係合凹部６８に入り込み係合することにより、作業者保護部材３９を格納姿勢が保持することができる。係止ピン６９が係合凹部６８から離脱する状態にして、作業者保護部材３９を右方向外方に向けて倒すと、支持ブラケット６３に設けられた受止め部材６７によって作業者保護部材３９が受止められ、作業者保護部材３９を使用姿勢で保持することができる。格納姿勢と使用姿勢との間での姿勢変化が滑らかに行われるように、板状構成体６４の上部側の縁部６４ａは円弧状に形成されている。
【００６３】
図１２に示すように、作業者保護部材３９を揺動自在に支持する支持軸６５は、作業者保護部材３９に設けられた筒状のボス部７０を挿通するとともに、軸芯方向両側に分割され且つ軸芯方向にネジ締結する分割構造となっている。軸芯方向両側からネジを締め付けることにより、作業者保護部材３９の姿勢を維持することができる。支持軸６５の軸芯方向中間部が両側端部よりも少し小径に形成されて、支持軸６５の外周部にグリス溜まり７１が形成されている。支持軸６５の外周部とボス部７０との間にグリスが作用して、作業者保護部材３９の姿勢変更操作を円滑に行えるようにしている。
【００６４】
作業者保護部材３９は丸パイプ材にて構成されるが、図１０，１１，１２に示すように、作業者保護部材３９の揺動支点部付近には、支持ブラケット６３との相対移動を円滑にするために、丸パイプ材の前後両側に帯板部材７２が一体的に連結されている。前後両側の帯板部材７２を挿通するとともに、両側の帯板部材７２に連結される状態で回動支点用のボス部７０が設けられている。
【００６５】
次に、手摺４０について説明する。
図８，１０に示すように、手摺４０は、丸パイプ材を平面視で略Ｕ字状に曲げて形成され、貯留用ホッパー２５の右側外方箇所において前後方向に長く延びる握り部４０Ａと、握り部４０Ａの前後両側に位置して左右方向に延びる前後一対の基端部４０Ｂとを備えている。
【００６６】
図１０，１１に示すように、手摺４０の基端部４０Ｂは、作業者保護部材３９におけるアーム部６０の支持位置と機体前後方向に近接した箇所であって且つ横向きフレーム３６よりも上側において貯留用ホッパー２５に支持されている。
【００６７】
説明を加えると、図１１に示すように、貯留用ホッパー２５をホッパー支持フレーム２７に支持するための支持部材３７に、手摺４０の基端部４０Ｂがボルト連結されている。支持部材３７は、板材を折り曲げて形成され、貯留用ホッパー２５の前後両側端部における傾斜面部分に対して上部位置と上下中間位置の上下両側でボルト連結されている。支持部材３７は、上下方向に沿う縦面部分３７Ａと受止め部材３８に載置支持される水平面部分３７Ｂとを備えている。
【００６８】
手摺４０の基端部４０Ｂは、丸パイプ材を直径方向に押し潰して平板状に形成されており、この平板状に形成された基端部４０Ｂが、支持部材３７の縦面部分３７Ａに対して前後両側外方側から当て付けた状態でボルト連結されている。手摺４０の握り部４０Ａは、ホッパー支持フレーム２７における右側の端部としての支持ブラケット６３の右側の端部よりも左右方向内方側に位置している。
【００６９】
このように手摺４０を貯留用ホッパー２５を支持するための支持部材３７に取り付ける構成とすることで、取付構造の簡素化を図るとともに、貯留用ホッパー２５と手摺４０とを一体的に塗装することができ、コストダウンを図ることができる。又、手摺４０が外方に出っ張ることがなく、穀粒回収作業の邪魔になるおそれは少ない。
【００７０】
〔別実施形態〕
（１）上記実施形態では、作業者保護部材３９は、アーム部６０が機体前後方向両側に夫々備えられ、前後のアーム部６０の揺動端部同士を連結する状態で背凭れ部６１が備えられる構成としたが、この構成に代えて、背凭れ部６１が前後のアーム部６０よりも前後外側に延長して形成されるものでもよく、アーム部６０が前後いずれかにのみ設けられ、片持ち状で背凭れ部６１を支持するものでもよい。又、背凭れ部６１が前後に分割され、前側のアーム部６０と後側のアーム部６０とにより各別に支持されるものでもよい。
【００７１】
（２）上記実施形態では、作業者保護部材３９は、丸パイプ材を折り曲げて構成されるものを示したが、この構成に代えて、角パイプ材を用いるもの、断面丸形の中実状の棒体を用いるもの、断面角形の中実状の棒体を用いるもの等、種々の形態で実施することができる。又、作業者保護部材３９の背凭れ部６１に、作業者を保護するためにクッション材を取り付けるようにしてもよい。
【００７２】
（３）上記実施形態では、作業者保護部材３９を支持する支持ブラケット６３に、第１被係合部としての受止め部材６７と、第２被係合部としての係合凹部６８とを備える構成としたが、この構成に代えて、ボルトの締結箇所を異ならせて使用状態と格納状態との夫々にて位置保持する構成等、他の構成の姿勢保持構造を採用してもよい。
【００７３】
（４）上記実施形態では、手摺４０の基端部４０Ｂがアーム部６０の支持位置と機体前後方向に近接した箇所に支持され、手摺４０の握り部４０Ａが、ホッパー支持フレーム２７の機体左右方向一方側（右側）の端部、すなわち、支持ブラケット６３の右側端部よりも機体左右方向内方側に位置する構成としたが、この構成に代えて、手摺４０の基端部４０Ｂがアーム部６０の支持位置から離間する位置に支持される構成としたり、手摺４０の握り部４０Ａが、ホッパー支持フレーム２７の機体左右方向一方側の端部よりも機体左右方向外方側に突出する状態で設けられる構成としてもよい。
【００７４】
（５）上記実施形態では、補助キャノピー３４が、貯留用ホッパー２５の天板２５Ｄよりも高い位置にある揺動軸芯周りで揺動可能に支持される構成としたが、天板２５Ｄよりも低い位置にある揺動軸芯周りで支持される構成としてもよく、補助キャノピー３４を位置固定状態で備える構成でもよい。又、このような補助キャノピー３４を備えない構成としてもよい。
【００７５】
（６）上記実施形態では、揚穀装置２０は、貯留用ホッパー２５に適したものを用いるようにしているが、この種のコンバインでは、貯留用ホッパーを用いる構成とは別に、タンク型式の穀粒貯留部を備える場合もある。しかし、このようなタンク型式の穀粒貯留部では、貯留用ホッパーに比べ背高に構成され、穀粒の投入口が高い位置に設けられる。そこで、揚穀装置をタンク型式の穀粒貯留部の場合と兼用するために、投入口が高い揚穀装置を斜め上方に延ばして、貯留用ホッパーに対する穀粒投入口を斜め姿勢の揚穀装置に合わせて位置をずらして斜め姿勢で形成する構成にするとよい。
【００７６】
（７）上記実施形態では、普通型コンバインに適用したものを示したが、自脱型コンバインであってもよい。  
【産業上の利用可能性】
【００７７】
本発明は、脱穀処理された穀粒を貯留用ホッパーにより貯留するように構成されているコンバインに適用できる。
【符号の説明】
【００７８】
５        穀粒貯留部
２５      貯留用ホッパー
２５Ｄ    天板
２７      ホッパー支持フレーム
３４      日除け部材
３５      支柱
３６      横フレーム
３９      作業者保護部材
４０      手摺
４０Ａ    握り部
４０Ｂ    基端部
６０      アーム部
６１      背凭れ部
６３      支持ブラケット
６７      第１被係合部
６８      第２被係合部
【図１】
2019004767.tif 000003
【図２】
2019004767.tif 000004
【図３】
2019004767.tif 000005
【図４】
2019004767.tif 000006
【図５】
2019004767.tif 000007
【図６】
2019004767.tif 000008
【図７】
2019004767.tif 000009
【図８】
2019004767.tif 000010
【図９】
2019004767.tif 000011
【図１０】
2019004767.tif 000012
【図１１】
2019004767.tif 000013
【図１２】
2019004767.tif 000014